(57)【要約】      （修正有）【課題】各周方向に自由に回転することができる選択可能な開放構成を備える、制御可能な一方向クラッチを提供する。【解決手段】一方向クラッチは、ポケットおよび内側リングと、リングの間のローラと、ローラを第１の周方向に押し付けるばねと、ローラと接触しかつランプを有する突出部を有するスイッチリングとを備えている。一方向構成において、内側およびポケットリングは、第１の周方向における相対回転のために、回転不能に接続され、フリーホイールモードの場合、第２の周方向に回転可能である。開放構成において、内側およびポケットリングは独立して回転可能である。一方向クラッチ構成から開放構成へ移行するために、アクチュエータは、ポケットリングに対してスイッチリングを軸方向に移動させ、ランプは、ポケットリングに沿ってスライドしてスイッチリングを第２の周方向に回転させ、突出部は、ローラを第２の周方向に移動させる。【選択図】図２
2020046071.tif 000002
【特許請求の範囲】
【請求項１】
一方向クラッチであって、
回転軸と、
ポケットリングと、
内側リングと、
半径方向で前記内側リングと前記ポケットリングとの間に配置された複数のローラと、
前記複数のローラを第１の周方向に押し付ける複数のばねと、
複数の軸方向に延びるスイッチング突出部を有するスイッチリングであって、各軸方向に延びるスイッチング突出部は、それぞれのローラと接触しておりかつ前記ポケットリングと接触したそれぞれの第１のランプを有している、スイッチリングと、
第１のアクチュエータと、を備え、
前記一方向クラッチの一方向クラッチ構成において、
ロックモードの場合、前記内側リングは、前記第１の周方向における前記ポケットリングに対する前記内側リングの相対回転のために、前記ポケットリングに回転不能に接続され、
フリーホイールモードの場合、前記内側リングは、前記ポケットリングに対して前記第１の周方向とは反対の第２の周方向に回転可能であるか、または、前記ポケットリングは、前記内側リングに対して前記第１の周方向に回転可能であり、
前記一方向クラッチの開放構成において、
前記内側リングは、前記ポケットリングに対して前記第１の周方向および前記第２の周方向に回転可能であるか、または前記ポケットリングは、前記内側リングに対して前記第１の周方向および前記第２の周方向に回転可能であり、
前記一方向クラッチ構成から前記開放構成へ移行するために、
前記第１のアクチュエータは、前記ポケットリングに対して前記スイッチリングを軸方向に移動させるように配置されており、
それぞれの前記第１のランプは、前記ポケットリングに沿ってスライドして、前記スイッチリングを前記第２の周方向に回転させるように配置されており、
前記複数の軸方向に延びるスイッチング突出部は、前記複数のローラを前記第２の周方向に移動させるように配置されている、
一方向クラッチ。
【請求項２】
第２のアクチュエータをさらに備え、
前記一方向クラッチ構成から前記開放構成へ移行するために、前記第１のアクチュエータは、前記ポケットリングに対して第１の軸方向へ前記スイッチリングを移動させるように配置されており、
前記開放構成から前記一方向クラッチ構成へ移行するために、前記第２のアクチュエータは、前記ポケットリングに対して前記第１の軸方向とは反対の第２の軸方向に前記スイッチリングを移動させるように配置されている、
請求項１記載の一方向クラッチ。
【請求項３】
前記ポケットリングは、複数の第２のランプを有しており、
各ローラは、それぞれの第２のランプと接触しており、
前記開放構成からロックモードへ移行するために、
前記複数のばねは、前記複数の第２のランプに沿って前記複数のローラを半径方向内方および前記第１の周方向に移動させるように配置されており、
前記複数のローラは、前記内側リングおよび前記ポケットリングに回転不能に接続されるように配置されており、
前記開放構成から前記フリーホイールモードへ移行するために、前記内側リングまたは前記ポケットリングは、前記複数の第２のランプに沿って前記複数のローラを半径方向外方および前記第２の周方向に移動させるように配置されている、
請求項１記載の一方向クラッチ。
【請求項４】
前記一方向クラッチ構成から前記開放構成へ移行するために、前記複数の軸方向に延びるスイッチング突出部は、前記複数のローラを半径方向外方へ移動させるように配置されている、請求項１記載の一方向クラッチ。
【請求項５】
前記スイッチリングは、環状の本体部分を有しており、
前記複数の軸方向に延びるスイッチング突出部は、前記環状の本体部分から第１の軸方向に延びており、
前記各軸方向に延びるスイッチング突出部は、
前記第２の周方向に面しかつそれぞれの前記ローラと接触した第１の面と、
それぞれの前記第１のランプを有する第２の面と、を有しており、
それぞれの前記第１のランプは、前記環状の本体部分から前記第１の軸方向および前記第２の周方向に傾斜している、
請求項１記載の一方向クラッチ。
【請求項６】
前記第１の面の少なくとも一部は、それぞれの前記第１のランプよりも、前記環状の本体部分からさらに前記第１の軸方向に配置されており、
前記ポケットリングは、
環状の本体部分と、
前記ポケットリングの前記環状の本体部分に対して半径方向内方かつ前記第１の軸方向とは反対の第２の軸方向に延びる複数の第１のスイッチング突出部と、を有しており、
前記各第１のスイッチング突出部は、それぞれの軸方向に延びるスイッチング突出部と接触している、
請求項５記載の一方向クラッチ。
【請求項７】
前記各第１のスイッチング突出部は、前記それぞれの第１のランプと接触した丸みつき部分を有しており、
前記各軸方向に延びるスイッチング突出部は、周方向で前記それぞれのローラとそれぞれの第１のスイッチング突出部との間に配置されている、
請求項６記載の一方向クラッチ。
【請求項８】
第２のアクチュエータをさらに備え、
前記開放構成から前記一方向クラッチ構成へ移行するために、前記第２のアクチュエータは、前記ポケットリングに対して前記スイッチリングを軸方向に移動させるように配置されており、
前記第１のアクチュエータは弾性要素であり、前記第２のアクチュエータは、機械式、液圧式、電気式、空圧式または電気機械式のアクチュエータである、または
前記第２のアクチュエータは弾性要素であり、前記第１のアクチュエータは、機械式、液圧式、電気式、空圧式または電気機械式のアクチュエータである、
請求項１記載の一方向クラッチ。
【請求項９】
前記複数の軸方向に延びるスイッチング突出部は、前記スイッチリングから第１の軸方向に延びており、
前記第１のアクチュエータは、弾性要素であり、かつ前記スイッチリングを前記第１の軸方向に移動させるように配置されており、
前記第２のアクチュエータは、機械式、液圧式、電気式、空圧式または電気機械式のアクチュエータであり、かつ前記スイッチリングを前記第１の軸方向とは反対の第２の軸方向に移動させるように配置されている、
請求項８記載の一方向クラッチ。
【請求項１０】
前記複数の軸方向に延びるスイッチング突出部は、前記スイッチリングから第１の軸方向に延びており、
前記第１のアクチュエータは、機械式、液圧式、電気式、空圧式または電気機械式のアクチュエータであり、かつ前記スイッチリングを前記第１の軸方向に移動させるように配置されており、
前記第２のアクチュエータは、弾性要素であり、かつ前記スイッチリングを前記第１の軸方向とは反対の第２の軸方向に移動させるように配置されている、
請求項８記載の一方向クラッチ。
【発明の詳細な説明】
【技術分野】
【０００１】
本開示は、一方向クラッチが各周方向に自由に回転することができる選択可能な開放構成を備える、制御可能な一方向クラッチに関する。
【背景技術】
【０００２】
一方向クラッチが、各周方向に自由に回転するためのオプションを有することが望ましい。
【発明の概要】
【課題を解決するための手段】
【０００３】
本明細書に例示される態様によれば、回転軸と、ポケットリングと、内側リングと、半径方向で内側リングとポケットリングとの間に配置された複数のローラと、複数のローラを第１の周方向に押し付ける複数のばねと、複数の軸方向に延びるスイッチング突出部を有するスイッチリングであって、各軸方向に延びるスイッチング突出部はそれぞれのローラと接触しておりかつポケットリングと接触したそれぞれのランプを有している、スイッチリングと、アクチュエータとを備える、一方向クラッチが提供される。一方向クラッチの一方向クラッチ構成において、ロックモードの場合、内側リングは、第１の周方向におけるポケットリングに対する内側リングの相対回転のためにポケットリングに回転不能に接続され、フリーホイールモードの場合、内側リングは、第１の周方向とは反対の第２の周方向にポケットリングに対して回転可能である、またはポケットリングは、内側リングに対して第１の周方向に回転可能である。一方向クラッチの開放構成において、内側リングは、ポケットリングに対して、第１の周方向および第２の周方向に回転可能であるか、またはポケットリングは、内側リングに対して、第１の周方向および第２の周方向に回転可能である。一方向クラッチ構成から開放構成へ移行するために、アクチュエータは、ポケットリングに対してスイッチリングを軸方向に移動させるように配置されており、それぞれのランプは、ポケットリングに沿ってスライドしてスイッチリングを第２の周方向に回転させるように配置されており、複数の軸方向に延びるスイッチング突出部は、複数のローラを第２の周方向に移動させるように配置されている。
【０００４】
本明細書に例示される態様によれば、回転軸と、ポケットリングと、内側リングと、半径方向で内側リングとポケットリングとの間に配置された複数のローラと、複数のローラを第１の周方向に押し付ける複数のばねと、第１の軸方向に延びる複数の第１のスイッチング突出部を有するスイッチリングであって、各第１のスイッチング突出部はそれぞれのローラと接触しておりかつポケットリングと接触したそれぞれのランプを有している、スイッチリングと、第１のアクチュエータと、第２のアクチュエータとを備える、一方向クラッチが提供される。一方向クラッチのワンクラッチ構成において、ロックモードの場合、内側リングは、第１の周方向におけるポケットリングに対する内側リングの相対回転のためにポケットリングに回転不能に接続され、フリーホイールモードの場合、内側リングは、第１の周方向とは反対の第２の周方向に、ポケットリングに対して回転可能であるか、またはポケットリングは、内側リングに対して第１の周方向に回転可能である。一方向クラッチの開放構成において、内側リングは、ポケットリングに対して、第１の周方向および第２の周方向に回転可能であるか、またはポケットリングは、内側リングに対して、第１の周方向および第２の周方向に回転可能である。一方向クラッチ構成から開放構成へ移行するために、第１のアクチュエータは、ポケットリングに対してスイッチリングを第１の軸方向に移動させるように配置されており、それぞれのランプは、ポケットリングに沿ってスライドしてスイッチリングを第２の周方向に回転させるように配置されており、複数の軸方向に延びるスイッチング突出部は、複数のローラを第２の周方向に移動させるように配置されている。開放構成から一方向クラッチ構成へ移行するために、第２のアクチュエータは、第１の軸方向とは反対の第２の軸方向にポケットリングに対してスイッチリングを移動させるように配置されている。
【０００５】
本明細書に例示される態様によれば、回転軸と、ポケットリングと、内側リングと、半径方向で内側リングとポケットリングとの間に配置された複数のローラと、複数のローラを第１の周方向に押し付ける複数のばねと、第１の軸方向に延びる複数のスイッチング突出部を有するスイッチリングであって、各スイッチング突出部はそれぞれのローラと接触しておりかつポケットリングと接触したそれぞれのランプを有している、スイッチリングと、弾性要素と、電磁気アクチュエータとを備える、一方向クラッチが提供される。一方向クラッチの一方向クラッチ構成において、ロックモードの場合、内側リングは、第１の周方向におけるポケットリングに対する内側リングの相対回転のためにポケットリングに回転不能に接続され、フリーホイールモードの場合、内側リングは、ポケットリングに対して第１の周方向とは反対の第２の周方向に回転可能であるか、またはポケットリングは、内側リングに対して第１の周方向に回転可能である。一方向クラッチの開放構成において、内側リングは、ポケットリングに対して、第１の周方向および第２の周方向に回転可能であるか、またはポケットリングは、内側リングに対して、第１の周方向および第２の周方向に回転可能である。一方向クラッチ構成から開放構成へ移行するために、電磁気アクチュエータは、ポケットリングに対してスイッチリングを第１の軸方向に移動させるように配置されており、それぞれのランプは、ポケットリングに沿ってスライドしてスイッチリングを第２の周方向に回転させるように配置されており、複数の第１のスイッチング突出部は、複数のローラを第２の周方向に移動させるように配置されている。開放構成から一方向クラッチ構成へ移行するために、弾性要素は、第１の軸方向とは反対の第２の軸方向にポケットリングに対してスイッチリングを移動させるように配置されている。
【０００６】
様々な実施形態が、添付の概略的な図面に関連して、例としてのみ開示されている。図面では、対応する参照符号は対応する部材を示している。
【図面の簡単な説明】
【０００７】
【図１】制御可能な一方向クラッチの側面斜視図である。
【図２】図１に示した制御可能な一方向クラッチの分解図である。
【図３】図１に示した制御可能な一方向クラッチ用のポケットリングの斜視図である。
【図４】図１に示した制御可能な一方向クラッチ用のスイッチリングの斜視図である。
【図５】図１中の５−５線にほぼ沿った断面図である。
【図６】分かりやすくするために内側リングおよびアクチュエータが省略された、開放構成における図１に示した制御可能な一方向クラッチの斜視断面図である。
【図７】分かりやすくするために内側リングおよびアクチュエータが省略された、一方向クラッチ構成における図１に示した制御可能な一方向クラッチの斜視断面図である。
【図８】本願において使用される空間に関する用語を説明する円柱座標系の斜視図である。
【発明を実施するための形態】
【０００８】
最初に、異なる図面内の同じ参照番号は、この開示の同じまたは機能的に類似の構造要素を識別していることが認識されるべきである。請求の範囲に記載の開示は、開示された態様に限定されないということが理解されるべきである。
【０００９】
さらに、この開示は、記載された特定の方法、材料および変更に限定されるのではなく、したがって、もちろん変更されてよいことが理解される。本明細書で使用される用語は、特定の態様を説明する目的のためだけのものであり、本開示の範囲の限定を意図したものではないことも理解される。
【００１０】
別段の定めがない限り、本明細書で使用される技術的および科学的用語は、この開示が属する技術分野における当業者に一般的に理解されるのと同じ意味を有している。本明細書で説明されたものと類似または均等のあらゆる方法、装置または材料を、本開示の実施または試験において使用できることを理解すべきである。
【００１１】
図８は、本願において使用される空間に関する用語を説明する円柱座標系１０の斜視図である。本願は、少なくとも部分的に円柱座標系に関して説明される。系１０は、以下の方向および空間に関する用語の基準として使用される、回転軸または長手方向軸１１を有している。反対の軸方向ＡＤ１およびＡＤ２は、軸１１に平行である。半径方向ＲＤ１は、軸１１と直交しかつ軸１１から離反する。半径方向ＲＤ２は、軸１１と直交しかつ軸１１に向かう。反対の周方向ＣＤ１およびＣＤ２は、例えば、時計回りおよび反時計回りにそれぞれ軸１１の周りに回転させた特定の半径Ｒ（軸１１に直交する）の終点によって規定される。
【００１２】
空間的な用語を明らかにするために、物体１２，１３および１４が使用される。一例として、物体１２の面１５Ａのような軸方向の面は、軸１１と同一平面上の平面によって形成されている。しかしながら、軸１１に平行なあらゆる平面が、軸方向の面である。例えば、軸１１に平行な面１５Ｂもまた、軸方向の面である。軸方向の辺は、軸１１に平行な、辺１５Ｃなどの辺によって形成されている。物体１３の面１６Ａのような半径方向の面は、軸１１と直交しかつ半径、例えば半径１７Ａと同一平面上にある平面によって形成されている。半径方向の辺は、軸１１の半径と同一直線上にある。例えば、辺１６Ｂは、半径１７Ｂと同一直線上にある。物体１４の面１８は、周方向面、または円筒状の面を形成している。例えば、半径２０によって規定された周１９は、面１８を通過している。
【００１３】
軸方向移動は、軸方向ＡＤ１またはＡＤ２で生じる。半径方向移動は、半径方向ＲＤ１またはＲＤ２で生じる。周方向移動または回転方向移動は、周方向ＣＤ１またはＣＤ２で生じる。「軸方向に」、「半径方向に」および「周方向に」という副詞はそれぞれ、軸１１に平行な移動または向き、軸１１と直交する移動または向き、および軸１１の周りの移動または向きを指す。例えば、軸方向に配置された面または辺は、方向ＡＤ１に延びており、半径方向に配置された面または辺は、方向ＲＤ１に延びており、周方向に配置された面または辺は、方向ＣＤ１に延びている。
【００１４】
図１は、制御可能な一方向クラッチ１００の側面斜視図である。
【００１５】
図２は、図１に示した制御可能な一方向クラッチ１００の分解図である。
【００１６】
図３は、図１に示した制御可能な一方向クラッチ１００用のポケットリングの斜視図である。
【００１７】
図４は、図１に示した制御可能な一方向クラッチ１００用のスイッチリングの斜視図である。
【００１８】
図５は、図１中の５−５線にほぼ沿った断面図である。以下では、図１から図５を参照すべきである。制御可能な一方向クラッチ１００は、回転軸ＡＲと、ポケットリング１０４を含む出力アセンブリ１０２と、内側リング１０６と、半径方向で内側リング１０６とポケットリング１０４との間に配置されたローラ１０８と、ローラ１０８を周方向ＣＤ１へ押し付けるばね１１０と、スイッチング突出部１１４を有するスイッチリング１１２と、スイッチリング１１２と係合したアクチュエータ１１６とを備えている。各スイッチング突出部１１４は、軸方向ＡＤ１に延びており、それぞれのローラ１０８と接触しており、かつポケットリング１０４と接触したそれぞれのランプ１１８を有している。例えば、突出部１１４Ａは、ローラ１０８Ａと接触しておりかつランプ１１８Ａを有している。一般に、参照符号“[数字][数字][数字][文字]”は、“[数字][数字][数字]”が付された要素の具体例を指している。例えば、ランプ１１８Ａは、ランプ１１８のうちの一つの具体例である。
【００１９】
図１の例では、アクチュエータ１１６は弾性要素であり、クラッチ１００は、スイッチリング１１２に接続されたアクチュエータ１１９を有している。アクチュエータ１１９は、当技術分野において既知の任意のアクチュエータであってよく、機械式、液圧式、電気式、空圧式または電気機械式のアクチュエータを含むが、これらに限定されない。例示実施形態では、アクチュエータ１１６は弾性要素であり、スイッチリング１１２は、機械式、液圧式、電気式、空圧式または電気機械式のアクチュエータに接続されるように配置されている。すなわち、機械式、液圧式、電気式、空圧式または電気機械式のアクチュエータには、クラッチ１００が設けられていない。即時の適用のための図面においてかつ以下の議論において、アクチュエータ１１９が示されかつ説明される。しかしながら、クラッチ１００に含まれるアクチュエータ１１９についての議論は、クラッチ１００が設けられていない機械式、液圧式、電気式、空圧式または電気機械式のアクチュエータにも当てはまることが理解されるべきである。図１の例では、アクチュエータ１１９は、電気機械式のアクチュエータ、例えば、電気的にエネルギ供給されるソレノイドである。
【００２０】
一方向クラッチ１００のための一方向クラッチ構成では、ロックモードの場合、内側リング１０６は、周方向ＣＤ１におけるポケットリング１０４に対する内側リング１０６の相対回転のために、ポケットリング１０４に回転不能に接続され、フリーホイールモードの場合、内側リング１０６は、ポケットリング１０４に対して周方向ＣＤ１とは反対の周方向ＣＤ２に回転可能であるか、またはポケットリング１０４は、内側リング１０６に対して周方向ＣＤ１に回転可能である。「周方向ＣＤ１におけるポケットリング１０４に対する内側リング１０６の相対回転」とは、少なくとも、ポケットリング１０４が回転方向で固定されており、内側リング１０６が周方向ＣＤ１に回転すること、または、内側リング１０６がポケットリング１０４よりも速く回転しつつ、ポケットリング１０４および内側リング１０６の両方が周方向ＣＤ１に回転していること、または、ポケットリング１０４が周方向ＣＤ２に回転しておりかつ内側リング１０６が周方向ＣＤ１に回転していることを意味する。「回転不能に接続される」とは、構成部材のうちの１つが回転したときにはいつでも全ての構成部材が回転しかつ構成部材間の相対回転が不可能であるように、少なくとも１つの構成部材が少なくとも１つの他の構成部材に接続されることを意味する。互いに対して回転不能に接続された構成部材の半径方向および／または軸方向の移動は可能であるが、必要とされるわけではない。
【００２１】
一方向クラッチ１００の開放構成では、内側リング１０６は、ポケットリング１０４に対して、周方向ＣＤ１および周方向ＣＤ２に回転可能であるか、またはポケットリング１０４は、内側リング１０６に対して、周方向ＣＤ１および周方向ＣＤ２に回転可能である。
【００２２】
図６は、分かりやすくするために内側リング１０６およびアクチュエータ１１９が省略された、開放構成における図１に示した制御可能な一方向クラッチ１００の斜視断面図である。
【００２３】
図７は、分かりやすくするために内側リング１０６およびアクチュエータ１１９が省略された、一方向モードにおける図１に示した制御可能な一方向クラッチ１００の斜視断面図である。以下では、図１から図７を参照すべきである。例示実施形態では、アクチュエータ１１６は、スイッチリング１１２を、ポケットリング１０４に対して軸方向ＡＤ１に押し付ける。すなわち、アクチュエータ１１６は、クラッチ１００を、開放構成になるように押し付ける。一方向クラッチ構成から開放構成へ移行するために、アクチュエータ１１９を作動停止し、アクチュエータ１１６がスイッチリング１１２を軸方向ＡＤ１へ移動させ、それぞれのランプ１１８が、ポケットリング１０４に沿ってスライドしてスイッチリング１１２を周方向ＣＤ２へ回転させるように配置され、スイッチリング１１２、特に突出部１１４が、ローラ１０８を半径方向外方および周方向ＣＤ２へ移動させて、内側リング１０６と、ローラ１０８と、ポケットリング１０４との間の回転不能な接続を防止または解除するように配置される。開放構成から一方向クラッチ構成へ移行させるために、アクチュエータ１１９を作動し、アクチュエータ１１９は、方向ＡＤ１へのアクチュエータ１１６の押付けに逆らって軸方向ＡＤ２へスイッチリング１１２を移動させ、ランプ１１８は、ポケットリング１０４に沿ってスライドするように配置され、スイッチリング１１２は、周方向ＣＤ１へ回転するように配置される。
【００２４】
例示実施形態では、アクチュエータ１１６は、ポケットリング１０４に対して軸方向ＡＤ２にスイッチリング１１２を押し付ける。すなわち、アクチュエータ１１６は、クラッチ１００を、一方向クラッチ構成になるように押し付ける。一方向クラッチ構成から開放構成へ移行するために、アクチュエータ１１９を作動し、アクチュエータ１１９が、方向ＡＤ２への、弾性要素としてのアクチュエータ１１６の押付けに逆らって、スイッチリング１１２を軸方向ＡＤ１へ移動させ、それぞれのランプ１１８が、ポケットリング１０４に沿ってスライドして、スイッチリング１１２を周方向ＣＤ２へ回転させるように配置され、スイッチリング１１２、特に突出部１１４が、ローラ１０８を半径方向内方および周方向ＣＤ２へ移動させて、内側リング１０６と、ローラ１０８と、ポケットリング１０４との間の回転不能な接続を防止または解除するように配置される。開放構成から一方向クラッチ構成へ移行させるために、アクチュエータ１１９を作動停止し、アクチュエータ１１６は、軸方向ＡＤ２へスイッチリング１１２を移動させ、ランプ１１８は、ポケットリング１０４に沿ってスライドするように配置され、スイッチリング１１２は、周方向ＣＤ１へ回転するように配置される。
【００２５】
ポケットリング１０４はランプ１２０を有している。各ローラ１０８はそれぞれのランプ１２０と接触している。例えば、ローラ１０８Ａはランプ１２０Ａと接触している。開放モードからロックモードへ移行するために、ばね１１０は、ランプ１２０に沿ってローラ１０８を半径方向内方および周方向ＣＤ１へ移動させるように配置されており、ローラ１０８は、内側リング１０６およびポケットリング１０４に回転不能に接続されるように配置されている。開放モードからフリーホイールモードへ移行するために、内側リング１０６またはポケットリング１０４は、ランプ１２０に沿ってローラ１０８を半径方向外方および周方向ＣＤ２へ移動させるように配置されている。
【００２６】
例示実施形態では、スイッチリング１１２は環状の本体部分１２２を有しており、スイッチング突出部１１４は環状の本体部分１２２から軸方向ＡＤ１へ延びており、各突出部１１４は面１２４および面１２６を有している。面１２４は、周方向ＣＤ２に面しており、それぞれのローラ１０８と接触している。例えば、面１２４Ａは、ローラ１０８Ａと接触している。面１２６はランプ１１８を有している。ランプ１１８は、環状の本体部分１２２から軸方向ＡＤ１および周方向ＣＤ２へ傾斜している。例示実施形態では、面１２４の部分１２８は、ランプ１１８よりも、環状の本体部分１２２からさらに軸方向ＡＤ１へ配置されている。
【００２７】
例示実施形態では、ポケットリング１０４は、環状の本体部分１３０と、本体部分１３０から半径方向内方および軸方向ＡＤ１へ延びるスイッチング突出部１３２とを有しており、各スイッチング突出部１３２は、それぞれのスイッチング突出部１１４と接触している。開放構成では、各スイッチング突出部１３２は、それぞれのスイッチング突出部１１４のためのそれぞれのランプ１１８と接触している。例示実施形態では、各スイッチング突出部１３２は、開放構成時にそれぞれのランプ１１８と接触している丸みつき部分１３４を有している。例えば、突出部１３２Ａの部分１３４Ａは、突出部１１４Ｂのランプ１１８Ａと接触している。一方向クラッチ構成における例示実施形態では、各スイッチング突出部１３２の遠位部分１３６は、それぞれのスイッチング突出部１１４と接触している。各スイッチング突出部１１４は、周方向でそれぞれのローラ１０８とそれぞれのスイッチング突出部１３２との間に配置されている。例えば、突出部１１４Ｃは、周方向でローラ１０８Ｂとスイッチング突出部１３２Ｂとの間に配置されている。
【００２８】
例示実施形態では、出力アセンブリ１０２は、外レース１３８と、ハウジング１４０と、ハブ１４２と、軸受１４４とを有している。ポケットリング１０４は外レース１３８に回転不能に接続されている。外レース１３８、ハウジング１４０およびハブ１４２は、例えばリベット１４６によって、回転不能に接続されている。内側リング１０６は、例えばスプライン１４８を介して、シャフトに回転不能に接続されるように配置されている。ハブ１４２は、例えばスプライン１５０を介して、シャフトに回転不能に接続されるように配置されている。例示実施形態では、内側リング１０６は、内側リング１０６に回転不能に接続されたシャフトから回転トルクを受け取るように配置されている。例示実施形態では、ハブ１４２は、ハブ１４２に回転不能に接続されたシャフトから回転トルクを受け取るように配置されている。
【００２９】
一方向クラッチ１００は、ロックモードおよびフリーホイールモードを備える一方向クラッチ構成に加え、容易に選択可能な開放構成を提供する。開放構成では、内側リング１０６およびポケットリング１０４は、回転可能に接続されておらず、クラッチ１００は、方向ＣＤ１およびＣＤ２に自由に回転することができる。さらに、クラッチ１００は、選択可能な開放構成を実施するためにコンパクトな設計を用いる。例えば、弾性要素としてのアクチュエータ１１６は、クラッチ１００内でわずかな空間を占めている。
【００３０】
様々な、上に開示された特徴および機能ならびにその他の特徴および機能、またはそれらに代替するものは、望ましくは多くのその他の異なるシステムまたは用途に組み合わされてよいことが認められるであろう。それらにおける様々な、現時点では予想または予期されない代替、修正、変更または改良が、引き続き当業者によって行われてよく、これらも、以下の請求の範囲によって包含されることが意図されている。
【符号の説明】
【００３１】
１０  円柱系
１１  回転軸
ＡＤ１  軸方向
ＡＤ２  軸方向
ＲＤ１  半径方向
ＲＤ２  半径方向
ＣＤ１  周方向
ＣＤ２  周方向
Ｒ  半径
１２  物体
１３  物体
１４  物体
１５Ａ  面
１５Ｂ  面
１５Ｃ  辺
１６Ａ  面
１６Ｂ  辺
１７Ａ  半径
１７Ｂ  半径
１８  面
１９  周
２０  半径
ＡＲ  回転軸
１００  制御可能な一方向クラッチ
１０２  出力アセンブリ
１０４  ポケットリング
１０６  内側リング
１０８  ローラ
１０８Ａ  ローラ
１０８Ｂ  ローラ
１１０  ばね
１１０Ａ  ばね
１１２  スイッチリング
１１４  スイッチング突出部、スイッチリング
１１４Ａ  スイッチング突出部、スイッチリング
１１４Ｂ  スイッチング突出部、スイッチリング
１１４Ｃ  スイッチング突出部、スイッチリング
１１６  アクチュエータ
１１８  ランプ、スイッチング突出部１１４
１１８Ａ  ランプ、スイッチング突出部１１４
１１９  アクチュエータ
１２０  ランプ、スイッチリング
１２０Ａ  ランプ、スイッチリング
１２２  環状の本体部分、スイッチリング
１２４  面、スイッチング突出部１１４
１２６  面、スイッチング突出部１１４
１２８  部分、面１２４
１３０  環状の本体部分、ポケットリング
１３２  スイッチング突出部、ポケットリング
１３２Ａ  スイッチング突出部、ポケットリング
１３４  丸みつき部分、スイッチング突出部１３２
１３４Ａ  丸みつき部分、スイッチング突出部１３２
１３６  遠位部分、スイッチング突出部１３２
１３８  外レース
１４０  ハウジング
１４２  ハブ
１４４  軸受
１４６  リベット
１４８  スプライン、内側リング
１５０  スプライン、ハブ
【図１】
2020046071.tif 000003
【図２】
2020046071.tif 000004
【図３】
2020046071.tif 000005
【図４】
2020046071.tif 000006
【図５】
2020046071.tif 000007
【図６】
2020046071.tif 000008
【図７】
2020046071.tif 000009
【図８】
2020046071.tif 000010
【外国語明細書】
2020046071.tif 000011
2020046071.tif 000012
2020046071.tif 000013
2020046071.tif 000014
2020046071.tif 000015
2020046071.tif 000016
2020046071.tif 000017
2020046071.tif 000018
2020046071.tif 000019
2020046071.tif 000020
2020046071.tif 000021
2020046071.tif 000022
2020046071.tif 000023
2020046071.tif 000024
2020046071.tif 000025
2020046071.tif 000026
2020046071.tif 000027
2020046071.tif 000028
2020046071.tif 000029
2020046071.tif 000030
2020046071.tif 000031
2020046071.tif 000032
2020046071.tif 000033
2020046071.tif 000034
2020046071.tif 000035
2020046071.tif 000036